(57)【要約】  本出願は、物流資源のスケジューリング方法、装置、およびシステムを開示する。本出願の実施形態で提供される物流サービスに基づいて、異なる倉庫資源提供者からの倉庫資源および異なる配送資源提供者からの配送資源が取得され、取得された倉庫資源および配送資源が統合または分類されて既定の条件を満足する物流資源の獲得および物流資源の売買対象物提供者へのリリースが行われ、売買対象物提供者による物流資源のスケジューリングが可能となる。社会において比較的散在する倉庫資源および配送資源が比較的一元化された物流資源に統合され得るのみならず、これらの物流資源の利用率が改善され、そうして売買対象物の配送の効率が効果的に改善され、倉庫資源からの売買対象物の取得から配送資源を使用した売買対象物の配送までの期間が短縮され、電子商取引プラットフォームにおけるユーザ体験が改善される。
2019512820.tif 000002
【特許請求の範囲】
【請求項１】
物流資源のスケジューリング方法であって、
異なる倉庫資源提供者からの倉庫資源および異なる配送資源提供者からの配送資源を決定することと、
既定の条件を満たす物流資源を獲得するため既定の資源統合規則に従って前記倉庫資源および前記配送資源を統合することと、
前記物流資源をリリースして物流資源をスケジューリングするための売買対象物提供者による前記物流資源の使用要求を可能にすることと、を含む、スケジューリング方法。
【請求項２】
前記倉庫資源は倉庫容量および在庫回転期間を含み、
異なる倉庫資源提供者からの倉庫資源の決定は、
前記倉庫資源提供者により提供された既定の期間内における倉庫単位の過去の販売数量および過去の販売量比に従って、前記倉庫単位の在庫回転期間を決定することと、
少なくとも１つの前記倉庫単位の取得された在庫回転期間を前記倉庫資源提供者の在庫回転期間として用いることと、を含む、請求項１に記載のスケジューリング方法。
【請求項３】
前記配送資源は配送属性を含み、
異なる配送資源提供者からの配送資源の決定は、
前記配送資源提供者からリリースされた、配送タイプ、配送ルート、および各配送ルートの配送容量を受信することと、
前記配送タイプと、前記配送ルートと、各配送ルートの前記配送容量とに従って、前記配送資源提供者の前記配送属性を決定することと、を含む、請求項１に記載のスケジューリング方法。
【請求項４】
前記既定の条件を満たす物流資源を獲得するための既定の資源統合規則に従って前記倉庫資源および前記配送資源を統合することは、
前記既定の資源統合規則と、前記倉庫資源に含まれる前記倉庫容量および前記在庫回転期間と、前記配送資源に含まれる前記配送属性とを用いて統合を実行し、前記既定の条件を満足する物流資源を得ることを含み、前記既定の条件は統合された前記物流資源の利用率を調整するために用いられる、
請求項１ないし３のいずれか一項に記載のスケジューリング方法。
【請求項５】
前記物流資源をリリースした後に、
前記売買対象物提供者により送信された物流資源注文情報を受信し、前記物流資源注文情報は、前記売買対象物提供者により選択された物流資源および売買対象物識別情報を含むことと、
前記売買対象物識別情報および前記選択された物流資源との間にマッピング関係を設定することと、をさらに含む、請求項１に記載のスケジューリング方法。
【請求項６】
前記物流資源をリリースした後に、
前記売買対象物提供者に送信され、前記売買対象物識別情報および前記売買対象物提供者の識別情報を含む注文情報を受信し、前記注文情報はさらに配送先情報を含むことと、
前記売買対象物提供者の識別情報に従って前記売買対象物提供者から倉庫資源を決定することと、
前記倉庫資源に従って、前記売買対象物識別情報に対応する売買対象物が位置づけられる倉庫単位を決定することと、
前記配送先情報に従って、前記決定された倉庫単位から、配送先情報からの距離が既定の閾値より小さい倉庫単位を選択することと、
前記倉庫単位に前記注文情報を送信し、前記注文情報に従って出荷および配送を実行するよう前記倉庫単位に指示することと、をさらに含む、請求項５に記載のスケジューリング方法。
【請求項７】
前記倉庫資源に従って、前記売買対象物識別情報に対応する売買対象物が位置づけられる倉庫単位を決定することは、
前記注文情報に含まれる売買対象物識別情報の数が１より大きい場合、前記倉庫資源に従って、それぞれの売買対象物識別情報に対応する売買対象物が位置づけられる倉庫単位を決定することを含み、
さらに、
前記注文情報に含まれる売買対象物識別情報に対応する売買対象物が異なる倉庫単位に位置づけられる場合、前記売買対象物が位置づけられる倉庫単位に従って、前記注文情報を複数の下位注文情報に分割し、それぞれの下位注文情報は、同一の倉庫単位に位置づけられる売買対象物の識別情報および配送先情報を含むことと、を含む、請求項６に記載のスケジューリング方法。
【請求項８】
前記売買対象物提供者により選択された物流資源について、前記物流資源に含まれる倉庫資源の在庫数量を監視することと、
前記在庫数量および販売量予測値に従って倉庫間補充／割当戦略を生成し、前記販売量予測値は販売量予測アルゴリズムおよび倉庫単位の過去の販売量データに従って決定され、前記倉庫間補充／割当戦略は異なる倉庫単位における売買対象物の在庫数量を調整するために用いられることと、
前記倉庫間補充／割当戦略を前記売買対象物提供者に送信することと、を含む、請求項１に記載のスケジューリング方法。
【請求項９】
前記物流資源をリリースするときに、
異なる前記物流資源の価格情報を決定し、前記価格情報を表示することをさらに含む、請求項１ないし５のいずれか１頁に記載のスケジューリング方法。
【請求項１０】
異なる倉庫資源提供者からの倉庫資源および異なる配送資源提供者からの配送資源を決定するよう構成された決定部と、
既定の条件を満足する物流資源を得るため既定の資源統合規則に従って前記倉庫資源および前記配送資源を統合するよう構成された統合部と、
前記物流資源をリリースして前記物流資源をスケジューリングするための売買対象物提供者による物流資源の使用要求を可能にするよう構成されたリリース・スケジューリング部と、
を備える、物流資源スケジューリング装置。
【請求項１１】
前記倉庫資源は倉庫容量および在庫回転期間を含み、
前記決定部による倉庫資源提供者からの倉庫資源の決定は、
前記倉庫資源提供者により提供される倉庫単位の在庫回転期間を、既定の期間内での前記倉庫単位の過去の販売数量および過去の販売量比に従って決定すること、および、
取得された少なくとも１つの前記倉庫単位の在庫回転期間を、前記倉庫資源提供者の在庫回転期間として用いることを含む、請求項１０に記載のスケジューリング装置。
【請求項１２】
前記配送資源は配送属性を含み、
前記決定部による配送資源提供者からの配送資源の決定は、
前記配送資源提供者によりリリースされた、配送タイプ、配送ルート、および各配送ルートの配送容量を受信すること、および、
前記配送タイプ、前記配送ルート、および前記各配送ルートの配送容量に従って、前記配送資源提供者の配送属性を決定することを含む、請求項１０に記載のスケジューリング装置。
【請求項１３】
前記統合部による、既定の資源統合規則に従った前記倉庫資源および前記配送資源の統合および既定の条件を満足する前記物流資源の獲得は、
前記既定の資源統合規則と、前記倉庫資源に含まれる前記倉庫容量および前記在庫回転期間と、前記配送資源に含まれる前記配送属性と、を用いて統合を実行し、前記既定の条件を満足する前記物流資源を獲得することを含み、前記既定の条件は統合された前記物流資源の利用率を調整するために用いられる、請求項１０ないし１２のいずれか一項に記載のスケジューリング装置。
【請求項１４】
さらに設定部を含み、
前記設定部は、前記物流資源がリリースされた後に、前記売買対象物提供者により送信される物流資源注文情報を受信し、前記物流資源注文情報には前記売買対象物提供者により選択された物流資源および売買対象物識別情報が含まれること、および、
前記売買対象物識別情報と選択された前記物流資源との間にマッピング関係を設定すること、を実行するよう構成される、請求項１０に記載のスケジューリング装置。
【請求項１５】
さらに配送部を含み、
前記配送部は、前記物流資源がリリースされた後に、前記売買対象物提供者により送信され、前記売買対象物識別情報および前記売買対象物提供者の識別情報を含む注文情報を受信し、前記注文情報はさらに配送先情報を含むこと、
前記売買対象物提供者の識別情報に従って前記売買対象物提供者から倉庫資源を決定すること、
前記倉庫資源に従って、前記売買対象物識別情報に対応する前記売買対象物が位置づけられる倉庫単位を決定すること、
前記配送先情報に従って、決定された前記倉庫単位から、前記配送先情報からの距離が既定の閾値よりも小さい倉庫単位を選択すること、および、
前記倉庫単位に前記注文情報を送信し、前記注文情報に従って出荷および配送を実行するよう前記倉庫単位に指示すること、を実行するよう構成される、請求項１４に記載のスケジューリング装置。
【請求項１６】
前記配送部による、前記倉庫資源に従った、前記売買対象物識別情報に対応する前記売買対象物が位置づけられる前記倉庫単位の決定は、
前記注文情報に含まれる売買対象物識別情報における個数が１より大きい場合、前記倉庫資源に従って、売買対象物識別情報のそれぞれに対応する売買対象物が位置づけられる倉庫単位を決定することを含み、
前記スケジューリング装置は、さらに分割部を含み、
前記分割部は、前記注文情報に含まれる前記売買対象物識別情報に対応する売買対象物が異なる倉庫単位に位置づけられる場合、前記売買対象物が位置づけられる前記倉庫単位に従って前記注文情報を複数の下位注文情報に分割することを実行するよう構成され、それぞれの下位分割情報は、同一の前記倉庫単位に位置づけられる前記売買対象物の識別情報および前記配送先情報を含む、請求項１５に記載のスケジューリング装置。
【請求項１７】
さらに補充部を含み、
前記補充部は、前記売買対象物提供者により選択された物流資源について、前記物流資源に含まれる前記倉庫資源の在庫数量を監視すること、
前記在庫数量および販売量予測値に従って倉庫間補充／割当戦略を生成し、前記販売量予測値は販売量予測アルゴリズムおよび倉庫単位の過去の販売量データに従って決定され、前記倉庫間補充／割当戦略は売買対象物の異なる倉庫での在庫数量を調整するために用いられること、および、
前記倉庫間補充／割当戦略を前記売買対象物提供者に送信すること、を実行するよう構成される、請求項１０に記載のスケジューリング装置。
【請求項１８】
さらに課金部を含み、
前記課金部は、前記物流資源がリリースされたときに、異なる前記物流資源の価格情報を決定し、前記価格情報を表示するよう構成される、請求項１０ないし１４のいずれか一項に記載のスケジューリング装置。
【請求項１９】
フロントエンド売買対象物提示プラットフォームとバックエンド物流サービスプラットフォームとを含む物流スケジューリングシステムであって、
前記フロントエンド売買対象物提示プラットフォームは、売買対象物提供者により売買対象物情報をリリースするよう構成され、
前記バックエンド物流サービスプラットフォームは、異なる倉庫資源提供者からの倉庫資源および異なる配送資源提供者からの配送資源を決定し、既定の条件を満たす物流資源を獲得するため既定の資源統合規則に従って前記倉庫資源および前記配送資源を統合し、前記物流資源をリリースして前記物流資源をスケジューリングするための前記売買対象物提供者による前記物流資源の使用要求を可能にする、物流スケジューリングシステム。
【発明の詳細な説明】
【技術分野】
【０００１】
本出願は、インターネット情報処理および物流および配送の技術分野に関し、特に、物流資源のスケジューリング方法、装置およびシステムに関する。
【背景技術】
【０００２】
科学技術の進展およびインターネット技術の進展とともに、インターネットプラットフォームから様々な電子商取引プラットフォームが出現している。これらの電子商取引プラットフォームは、ユーザに様々な異なるオンラインサービスを提供することができる。これらのオンラインサービスは、ユーザの生活を非常に便利なものにする。
【０００３】
例えば、ユーザは、主に日用品およびサービスを提供する電子商取引プラットフォームを通して日用品を購入する。注文情報をユーザから受信した場合（注文情報はユーザにより購入された日用品を含む）電子商取引プラットフォームは、注文情報に含まれる位置情報に従って、要求された日用品をユーザに配送する。このようにして、ユーザは、電子商取引プラットフォームにより提供される日用品購入のオンラインサービスを享受する。
【０００４】
ある電子商取引プラットフォームでは、複数の異なる売買対象物提供者が、ユーザにオンラインサービスを提供するために電子商取引プラットフォームを使用する。しかし、ある売買対象物提供者により提供されるオンラインサービスは、売買対象物情報の提供および購入された売買対象物の売買対象物を購入したユーザへの配送を含むが、これに限られない。したがって、日用品を購入するユーザが購入した売買対象物を迅速に受け取ることができるか否かは、売買対象物提供者により提供されるオンラインサービスの品質を決定する重要な指標となる。
【０００５】
現在、上記問題を解決するため、倉庫資源提供者および配送資源提供者が市場に出現している。売買対象物提供者は、売買対象物を保管する倉庫資源を使用するために倉庫資源提供者から倉庫資源を取得する必要があり、さらに、売買対象物を配送する配送資源を使用するために配送資源提供者から配送資源を取得する必要がある。しかし、多くの倉庫資源および配送資源は、異なる提供者によりスケジューリングされている。その結果、倉庫資源からの売買対象物の取得から配送資源を使用した売買対象物の配送までの期間は比較的長い。売買対象物を購入するユーザは、購入した売買対象物を迅速に受け取ることができない。この場合、物流資源（倉庫資源および配送資源を含む）の利用率は比較的低い。
【０００６】
結論として、物流資源のスケジューリング方法は、従来技術における物流資源の利用率が比較的低いという問題を解決するために、緊急に必要とされている。
【発明の概要】
【０００７】
この観点から、本出願の実施形態は、従来技術における物流資源の利用率が比較的低いという問題を解決するために、物流資源のスケジューリング方法、装置、およびシステムを提供する。
【０００８】
物流資源のスケジューリング方法は、
異なる倉庫資源提供者からの倉庫資源および異なる配送資源提供者からの配送資源を決定するステップと、
既定の条件を満たす物流資源を獲得するため既定の資源統合規則に従って倉庫資源および配送資源を統合するステップと、
物流資源をリリースして物流資源をスケジューリングするための売買対象物提供者による物流資源の使用要求を可能にするステップと、を含む。
【０００９】
物流資源のスケジューリング装置は、
異なる倉庫資源提供者からの倉庫資源および異なる配送資源提供者からの配送資源を決定するよう構成された決定部と、
既定の条件を満たす物流資源を獲得するため既定の資源統合規則に従って倉庫資源および配送資源を統合するよう構成された統合部と、
物流資源をリリースして物流資源をスケジューリングするための売買対象物提供者による物流資源の使用要求を可能にするよう構成されたリリース・スケジューリング部と、を備える。
【００１０】
物流資源をスケジューリングするシステムは、フロントエンド売買対象物提示プラットフォームおよびバックエンド物流サービスプラットフォームを含み、
フロントエンド売買対象物提示プラットフォームは、売買対象物提供者により売買対象物情報をリリースするよう構成され、
バックエンド物流サービスプラットフォームは、異なる倉庫資源提供者からの倉庫資源および異なる配送資源提供者からの配送資源を決定し、既定の条件を満たす物流資源を獲得するため既定の資源統合規則に従って倉庫資源および配送資源を統合し、物流資源をリリースして物流資源をスケジューリングするための売買対象物提供者による物流資源の使用要求を可能にするよう構成される。
【００１１】
本出願の有益な効果は、以下のとおりである。
【００１２】
本出願の実施形態では、異なる倉庫資源提供者からの倉庫資源および異なる配送資源提供者からの配送資源が決定され、既定の条件を満たす物流資源を獲得するため既定の資源統合規則に従って倉庫資源および配送資源が統合され、物流資源がリリースされて物流資源をスケジューリングするための売買対象物提供者による物流資源の使用要求が可能となる。本出願の実施形態で提供される物流サービスプラットフォームに基づいて、異なる倉庫資源提供者からの倉庫資源および異なる配送資源提供者からの配送資源が取得され、取得された倉庫資源および配送資源が統合または分類され、そうして既定の条件を満たす物流資源を獲得し、物流資源を売買対象物提供者にリリースするために、売買対象物提供者が物流資源をスケジューリングすることが可能となる。社会において比較的散在する倉庫資源および配送資源が比較的一元化された物流資源に統合され得るのみならず、これらの物流資源の利用率が改善され、そうして売買対象物の配送の効率が効果的に改善され、倉庫資源からの売買対象物の取得から配送資源を使用した売買対象物の配送までの期間は短縮され、電子商取引プラットフォームにおけるユーザ体験が改善される。
【図面の簡単な説明】
【００１３】
本出願の実施形態の技術的解決手段をより明確に説明するため、実施形態の説明に必要な添付図面を簡単に紹介する。明らかなように、以下に説明する添付図面は本出願のいくつかの実施形態のみを説明するものであり、当業者はこれらの添付図面から創意工夫なく他の図面を派生させることができる。
【００１４】
【図１】本出願の実施形態に従った物流資源のスケジューリング方法のフローチャート図である。
【図２】本出願の実施形態に従った倉庫間補充／割当戦略の模式図である。
【図３】本出願の実施形態に従った物流資源のスケジューリング装置の構造模式図である。
【図４】本出願の実施形態に従った物流資源のスケジューリングシステムの構造模式図である。
【発明を実施するための形態】
【００１５】
本出願の目的を達成するため、本出願の実施形態は、物流資源のスケジューリング方法、装置、およびシステムを提供する。異なる倉庫資源提供者からの倉庫資源および異なる配送資源提供者からの配送資源が決定され、既定の条件を満たす物流資源を獲得するための既定の資源統合規則に従って倉庫資源および配送資源が統合され、物流資源がリリースされて物流資源をスケジューリングするための売買対象物提供者による物流資源の使用要求が可能となる。
【００１６】
本出願の実施形態で提供される物流サービスプラットフォームに基づいて、異なる倉庫資源提供者からの倉庫資源および異なる配送資源提供者からの配送資源が取得され、取得された倉庫資源および配送資源が統合または分類され、既定の条件を満たす物流資源を獲得し、物流資源を売買対象物提供者にリリースするために、売買対象物提供者は物流資源をスケジューリングすることが可能となる。社会において比較的散在する倉庫資源および配送資源が比較的一元化された物流資源に統合され得るのみならず、これらの物流資源の利用率が改善され、そうして売買対象物の配送の効率が効果的に改善され、倉庫資源からの売買対象物の取得から配送資源を使用した売買対象物の配送までの期間は短縮され、電子商取引プラットフォームにおけるユーザ体験が改善される。
【００１７】
本出願の実施形態は物流サービスプラットフォームシステムに適用されることに留意されたい。物流サービスプラットフォームは、社会における倉庫資源および配送資源を統合する機能を有し、比較的散在する倉庫資源および配送資源を統合して比較的一元化された物流資源を獲得する。これらの物流資源を売買対象物提供者に提供するとき、物流サービスプラットフォームは売買対象物提供者に、倉庫管理、注文経路、自動発送、および迅速な配送といった特徴を提供することができ、これにより、売買対象物提供者の在庫費用および物流費用を削減することができる。こうして、売買対象物提供者および売買対象物需要者の両方が、迅速かつ便利な物流サービスを享受する。
【００１８】
以下では、明細書の実施形態における添付図面を参照して、本出願の実施形態をより詳細に説明する。明らかなように、説明される実施形態はすべての実施形態ではなく、本出願におけるいくつかの実施形態のみである。本出願の実施形態に基づいて当業者により創意工夫なく取得される他のすべての実施形態は、本出願の保護範囲に含まれる。
【００１９】
図１は、本出願の実施形態に従った物流資源のスケジューリング方法のフローチャート図である。方法は、以下に示される。
【００２０】
ステップ１０１：異なる倉庫資源提供者からの倉庫資源および異なる配送資源提供者からの配送資源を決定する。
【００２１】
倉庫資源は倉庫容量および在庫回転期間を含み、配送資源は配送属性を含む。
【００２２】
ステップ１０１において、物流サービスプラットフォームは複数のインタフェースを提供してよい。異なる倉庫資源提供者はこれらのインタフェースを用いて物流サービスプラットフォームに倉庫資源を送信し、異なる配送資源提供者はこれらのインタフェースを用いて物流サービスプラットフォームに配送資源を送信する。このようにして、物流サービスプラットフォームはリアルタイムで異なる倉庫資源提供者からの倉庫資源および異なる配送資源提供者からの配送資源を決定することができる。
【００２３】
以下で倉庫資源提供者からどのように倉庫資源を決定するかを説明するために、倉庫資源が在庫回転期間である例を用いる。
【００２４】
具体的には、倉庫資源提供者により提供された既定の期間内における倉庫単位の過去の販売数量および過去の販売量比に従って、倉庫単位の在庫回転期間が決定される。そして、少なくとも１つの取得された倉庫単位の在庫回転期間が、倉庫資源提供者の在庫回転期間として用いられる。
【００２５】
ここで、在庫回転期間は、売買対象物が倉庫に入庫してから出庫するまでの時間のことであってもよい。
【００２６】
例えば、倉庫資源提供者により提供される既定の期間内における倉庫単位の過去の販売数量および過去の販売量比が収集される。将来期間における販売量を予測するため、販売量予測アルゴリズムが用いられる。この場合、倉庫単位の在庫回転期間は、計算された販売量に従って決定される。すなわち、もし販売量がより大きな値であれば、在庫回転期間はより短くなる。反対に、もし販売量がより小さな値であれば、在庫回転期間はより長くなる。
【００２７】
倉庫単位を用いた売買対象物提供者の補充計画が予測されてもよく、また、決定された在庫回転期間に従って倉庫単位の循環時間が決定されてもよい。
【００２８】
在庫回転期間を決定するため、倉庫単位のレベルが計算に用いられてもよく、また、倉庫単位の位置が計算に用いられてもよい。ここではこの点は特に限定されない。
【００２９】
加えて、倉庫資源は、倉庫の収容能力、倉庫のレベル（倉庫単位の担当地域が広い場合、倉庫のレベルは高い）、倉庫単位の位置、倉庫タイプ、および異なる倉庫単位の課金情報等をさらに含む。
【００３０】
以下で配送資源提供者からどのように配送資源を決定するかを説明するために、配送資源が配送属性である例を用いる。
【００３１】
具体的には、配送資源提供者からリリースされた、配送タイプ、配送ルート、および各配送ルートの配送容量が受信される。そして、配送タイプ、配送ルート、および各配送ルートの配送容量に従って、配送資源提供者の配送属性が決定される。
【００３２】
ここで、配送属性は、配送される売買対象物のタイプおよび配送制限のことであってもよい。
【００３３】
現在、配送属性は主に、要因の２つの側面に依存している。１つの側面は、売買対象物の出荷元住所とユーザの出荷先住所との間の距離である。もう１つの側面は、配送に使用される交通手段および使用される配送ルートである。この場合、配送属性と、配送タイプ、配送ルート、および各配送ルートの配送容量との間の関係は、配送資源提供者により提供される配送データに従って決定されてよい。
【００３４】
本出願のこの実施形態においてステップ１０１が実行される前に、以下の方法をさらに選択的に実行してもよい：
【００３５】
売買対象物提供者の売買対象物の安全を確保するために、外部インタフェースを用いて、倉庫資源提供者の身元が検証され、配送資源提供者の身元が検証される。
【００３６】
ステップ１０２：既定の条件を満たす物流資源を獲得するため既定の資源統合規則に従って倉庫資源および配送資源を統合する。
【００３７】
ステップ１０２において、統合は、既定の条件の満たす物流資源を獲得するため、既定の資源統合規則、倉庫資源に含まれる倉庫の容量および在庫回転期間、および配送資源に含まれる配送属性に従って実行される。既定の条件は、統合された物流資源の利用率を調整するために用いられる。
【００３８】
例えば、倉庫資源は倉庫の容量および／または在庫回転期間に従って第１の分類に分類され、配送資源は配送属性に従って第２の分類に分類される。そして、第１の分類および第２の分類は統合され、既定の条件を満たす物流資源のタイプが得られる。
【００３９】
他の例では、決定される倉庫資源は倉庫資源１、倉庫資源２、および倉庫資源３を含む。倉庫資源１に含まれる倉庫容量はＸであり、倉庫資源１に含まれる在庫回転期間は１０日である。倉庫資源２に含まれる倉庫容量はＹであり、倉庫資源２に含まれる在庫回転期間は２０日である。倉庫資源３に含まれる倉庫容量はＺであり、倉庫資源３に含まれる在庫回転期間は５日である。ＸはＺより大きく、ＺはＹより小さく、ＹはＸより大きい。決定された配送資源は、配送資源１、配送資源２、および配送資源３を含む。配送資源１に含まれる配送属性は、大型家電である売買対象物の配送をサポートしており、配送資源１に含まれる配送制限は３日である。配送資源２に含まれる配送属性は高い適時性要求を有する売買対象物（例えば野菜）の配送をサポートしており、配送資源２に含まれる配送制限は１日である。配送資源３に含まれる配送属性は一般的な売買対象物の配送をサポートしており、配送資源３に含まれる配送制限は１日から３日である。この場合、情報に基づいて、倉庫資源および配送資源は既定の資源統合規則に従って以下のように統合されてよい。
【００４０】
倉庫資源２および配送資源３は１つの物流資源に統合され、この物流資源は一般的な売買対象物に適用される。倉庫資源１および配送資源２は１つの物流資源に統合され、この物流資源は大型家電である売買対象物に適用される。倉庫資源３および配送資源１は１つの物流資源に統合され、この物流資源は比較的高い適時性要求を有する売買対象物（例えば野菜）に適用される。
他の例では、決定された倉庫資源は倉庫資源１、倉庫資源２、および倉庫資源３を含み、決定された配送資源は配送資源１、配送資源２、および配送資源３を含む。倉庫資源および配送資源は、結合物流資源を得るために既定の条件に従って結合されてもよい。
【００４１】
本出願のこの実施形態において記載される資源統合規則は、異なる資源を統合するための規則であってよいことに留意されたい。例えば、倉庫資源の地理的位置および配送資源の地理的位置が同一地域に属している。この場合、倉庫資源および配送資源は、１つの物流資源に結合される。この点はここでは特に限定されない。
【００４２】
ここで記載される資源統合規則は、資源統合アルゴリズムを用いて決定されてもよく、過去のデータを分析して取得されてもよく、また、手動で設定されてもよい。資源統合規則の取得方法はここでは特に限定されない。
【００４３】
ステップ１０３：物流資源をリリースして物流資源をスケジューリングするための売買対象物提供者による物流資源の使用要求を可能にする。
【００４４】
ステップ１０３では、ステップ１０２で決定された物流資源がリリースされ、売買対象物提供者が必要な物流資源を自由に選択する。
【００４５】
本出願のこの実施形態において物流資源がリリースされた後において、方法をさらに以下を含む：
【００４６】
売買対象物提供者から送信された物流資源注文情報を受信し、物流資源注文情報は売買対象物提供者により選択された物流資源および売買対象物識別情報を含むこと、および、
【００４７】
売買対象物識別情報と選択された物流資源との間にマッピング関係を設定すること。
【００４８】
物流サービスプラットフォームが物流資源をリリースすると、売買対象物提供者は、物流サービスプラットフォームを用いてこれらの物流資源を取得し、提供される売買対象物の属性に従って、売買対象物の属性に適合する物流資源を選択することができる。
【００４９】
例えば、売買対象物提供者により提供される売買対象物は、大型家電である売買対象物である。この場合、ステップ１０２における倉庫資源１および配送資源２を含む物流資源が選択されてよい。
【００５０】
売買対象物の属性に適合する物流資源の選択において、売買対象物提供者は物流サービスプラットフォームに物流資源注文情報を送信する。物流資源注文情報は売買対象物識別情報を含んでよく、売買対象物提供者の識別情報を含んでもよい。物流資源注文情報が売買対象物識別情報を含む場合、物流資源はその売買対象物提供者からのその売買対象物のために用いられるものとして扱われる。
【００５１】
この場合、物流サービスプラットフォームは、売買対象物識別情報と選択された物流資源との間にマッピング関係を設定し、または、売買対象物提供者の識別情報と選択された物流資源との間にマッピング関係を設定する。このようにして、注文情報の受信に続いて速やかに物流資源が決定され、利便性が向上する。
【００５２】
本出願の他の実施形態では、物流資源のリリースの後、方法はさらに以下を含む：
【００５３】
売買対象物提供者により送信され、売買対象物識別情報および売買対象物提供者の識別情報を含む注文情報を受信し、注文情報はさらに配送先情報を含むこと、
【００５４】
売買対象物提供者の識別情報に従って売買対象物提供者から倉庫資源を決定すること、
【００５５】
倉庫資源に従って、売買対象物識別情報に対応する売買対象物が位置づけられる倉庫単位を決定すること、
【００５６】
配送先情報に従って、決定された倉庫単位から、配送先情報からの距離が既定の閾値よりも小さい倉庫単位を選択すること、および、
【００５７】
倉庫単位に注文情報を送信し、注文情報に従って出荷および配送を実行するよう倉庫単位に指示すること。
【００５８】
物流資源がリリースされた後、フロントエンド売買対象物提示プラットフォーム上のユーザにより送信された注文情報を受信した場合、売買対象物提供者は注文情報を物流サービスプラットフォームに転送する必要がある。この場合、注文情報は売買対象物識別情報、売買対象物提供者の識別情報、および配送先情報を含む。
【００５９】
この場合、物流サービスプラットフォームは、注文情報に含まれる売買対象物提供者の識別情報に従って、売買対象物提供者により選択された倉庫資源を決定し、さらに、倉庫資源に従って、売買対象物識別情報に対応する売買対象物が位置づけられる倉庫単位を決定する。
【００６０】
売買対象物提供者は１より多くの倉庫資源を選択するので、売買対象物識別情報に対応する売買対象物が位置づけられる複数の倉庫単位が倉庫資源に従って決定され得る。この場合、売買対象物を早くユーザに届けるため、配送先に従ってユーザの配送先に比較的近い倉庫単位が選択される必要があり、注文情報が倉庫単位に送信され、倉庫単位は注文情報に従って出荷および配送を実行するよう指示される。
【００６１】
加えて、ユーザから送信される注文情報は、複数の売買対象物識別情報を含んでよい。各売買対象物識別情報に対応する売買対象物が位置づけられる倉庫単位が、倉庫資源に従って決定される。しかし、これらの売買対象物識別情報に対応する売買対象物が多くの異なる倉庫単位に分散している場合、注文情報は、売買対象物が位置づけられる倉庫単位に従って、複数の下位注文情報に分割される。それぞれの下位注文情報は、同一の倉庫単位に位置づけられる売買対象物の識別情報および配送先情報を含む。
【００６２】
１つの注文情報の分割が開始されるとき、注文情報の含まれるラベル情報に従って更なる分割が実行され、または、倉庫単位の位置情報に従って分割が実行され、または、他の方法により更なる分割が実行されてもよいことに留意されたい。ユーザができる限り早く売買対象物を受領できるのであれば、どのような分割が実行されるかはここで限定されない。
【００６３】
本出願の他の実施形態では、物流資源のリリースの後、方法はさらに以下を含む：
【００６４】
売買対象物提供者により選択された物流資源について、物流資源に含まれる倉庫資源の在庫数量を監視すること、
【００６５】
在庫数量および販売量予測値に従って倉庫間補充／割当戦略を生成し、販売量予測値は販売量予測アルゴリズムおよび倉庫単位の過去の販売量データに従って決定され、倉庫間補充／割当戦略は異なる倉庫単位の売買対象物の在庫数量を調整するために使用されること、および、
【００６６】
売買対象物提供者に倉庫間補充／割当戦略を送信すること。
【００６７】
図２は、本出願の実施形態に従った倉庫間補充／割当戦略の模式図である。
【００６８】
図２に見られるように、物流サービスシステムは物流資源に含まれる倉庫資源の在庫数量、および、各倉庫単位の在庫割合、販売予測値、不足率、平均在庫制限および在庫回転期間といった情報を監視し、倉庫間補充／割当戦略を生成する。倉庫間補充／割当戦略は、対応する倉庫単位および売買対象物提供者に送信される。売買対象物提供者が倉庫間補充／割当戦略を承認すると、倉庫間補充／割当手順が開始される。図２に示されるＣＤＣ倉庫はある倉庫単位を指し、ＤＣ倉庫は他の倉庫単位を指す。
【００６９】
本出願のこの実施形態において記載された倉庫間補充戦略は、売買対象物提供者から売買対象物を取得し、取得した売買対象物を倉庫単位に保管すること、または、売買対象物をある倉庫単位から他の倉庫単位に割り当てることであってよい。
【００７０】
倉庫間補充／割当戦略は、倉庫間補充戦略と考えられてもよく、倉庫間割当戦略と考えられてもよく、さらに、倉庫間補充戦略および倉庫間割当戦略の組み合わせと考えられてもよいことに留意されたい。この点はここでは特に限定されない。
【００７１】
本出願の他の実施形態では、物流資源のリリースの後、方法はさらに以下を含む：
【００７２】
異なる物流資源の価格情報を決定し、価格情報を表示すること。
【００７３】
本出願のこの実施形態に記載された解決手段では、本発明のこの実施形態で提供される物流サービスプラットフォームに基づいて、異なる倉庫資源提供者からの倉庫資源および異なる配送資源提供者からの配送資源が取得され、取得された倉庫資源および配送資源は統合または分類されて、既定の条件を満足する物流資源となり、物流資源は売買対象物提供者にリリースされ、売買対象物提供者は物流資源のスケジューリングを行うことが可能となる。社会において比較的散在する倉庫資源および物流資源が比較的一元化された物流資源に統合できるのみならず、これらの物流資源の利用率が改善され、売買対象物の配送効率が効果的に改善され、倉庫資源からの売買対象物の取得と配送資源を用いた売買対象物の配送との間の時間を短縮され、電子商取引プラットフォーム上のユーザのユーザ体験が改善される。
【００７４】
図３は、本出願の実施形態に従った物流資源スケジューリング装置の構造模式図である。スケジューリング装置は、決定部３１と、統合部３２と、リリース・スケジューリング部３３とを含む。
【００７５】
決定部３１は、異なる倉庫資源提供者からの倉庫資源および異なる配送資源提供者からの配送資源を決定するよう構成される。
【００７６】
統合部３２は、既定の条件を満足する物流資源を得るため既定の資源統合規則に従って倉庫資源および配送資源を統合するよう構成される。
【００７７】
リリース・スケジューリング部３３は、物流資源をリリースして物流資源をスケジューリングするための売買対象物提供者による物流資源の使用要求を可能にするよう構成される。
【００７８】
本出願の他の実施形態で、倉庫資源が倉庫容量および在庫回転期間を含む場合、決定部３１による倉庫資源提供者からの倉庫資源の決定は、以下を含む：
【００７９】
倉庫資源提供者により提供される倉庫単位の在庫回転期間を、既定の期間内での倉庫単位の過去の販売数量および過去の販売量比に従って決定すること、および、
【００８０】
取得された少なくとも１つの倉庫単位の在庫回転期間を、倉庫資源提供者の在庫回転期間として用いること。
【００８１】
本出願の他の実施形態で、配送資源が配送属性を含む場合、決定部３１による配送資源提供者からの配送資源の決定は、以下を含む：
【００８２】
配送資源提供者によりリリースされた、配送タイプ、配送ルート、および各配送ルートの配送容量を受信すること、および、
【００８３】
配送タイプ、配送ルート、および各配送ルートの配送容量に従って、配送資源提供者の配送属性を決定すること。
【００８４】
本出願の他の実施形態で、統合部３２による、既定の資源統合規則に従った倉庫資源および配送資源の統合および既定の条件を満足する物流資源の獲得は、以下を含む：
【００８５】
既定の資源統合規則と、倉庫資源に含まれる倉庫容量および在庫回転期間と、配送資源に含まれる配送属性と、を用いて統合を実行し、既定の条件を満足する物流資源を得、既定の条件は統合された物流資源の利用率を調整するために用いられること。
【００８６】
本出願の他の実施形態で、スケジューリング装置は、さらに設定部３４を含む。
【００８７】
設定部３４は、物流資源がリリースされた後に、売買対象物提供者により送信される物流資源注文情報を受信し、物流資源注文情報には売買対象物提供者により選択された物流資源および売買対象物識別情報が含まれること、および、
【００８８】
売買対象物識別情報と選択された物流資源との間にマッピング関係を設定すること、を実行するよう構成される。
【００８９】
本出願の他の実施形態で、スケジューリング装置は、さらに配送部３５を含む。
【００９０】
配送部３５は、物流資源がリリースされた後に、売買対象物提供者により送信され、売買対象物識別情報および売買対象物提供者の識別情報を含む注文情報を受信し、注文情報はさらに配送先情報を含むこと、
【００９１】
売買対象物提供者の識別情報に従って売買対象物提供者から倉庫資源を決定すること、
【００９２】
倉庫資源に従って、売買対象物識別情報に対応する売買対象物が位置づけられる倉庫単位を決定すること、
【００９３】
配送先情報に従って、決定された倉庫単位から、配送先情報からの距離が既定の閾値よりも小さい倉庫単位を選択すること、および、
【００９４】
倉庫単位に注文情報を送信し、注文情報に従って出荷および配送を実行するよう倉庫単位に指示すること、を実行するよう構成される。
【００９５】
本出願の他の実施形態で、配送部３５による、倉庫資源に従った、売買対象物識別情報に対応する売買対象物が位置づけられる倉庫単位の決定は、以下を含む：
【００９６】
注文情報に含まれる売買対象物識別情報における個数が１より大きい場合、倉庫資源に従って、売買対象物識別情報のそれぞれに対応する売買対象物が位置づけられる倉庫単位を決定すること。
【００９７】
本出願の他の実施形態で、スケジューリング装置は、さらに分割部３６を含む。
【００９８】
分割部は、注文情報に含まれる売買対象物識別情報に対応する売買対象物が異なる倉庫単位に位置づけられる場合、売買対象物が位置づけられる倉庫単位に従って注文情報を複数の下位注文情報に分割するよう構成される。ここで、それぞれの下位分割情報は、同一の倉庫単位に位置づけられる売買対象物の識別情報および配送先情報を含む。
【００９９】
本出願の他の実施形態で、スケジューリング装置は、さらに補充部３７を含む。
【０１００】
補充部３７は、売買対象物提供者により選択された物流資源について、物流資源に含まれる倉庫資源の在庫数量を監視すること、
【０１０１】
在庫数量および販売量予測値に従って倉庫間補充／割当戦略を生成することであって、販売量予測値は販売量予測アルゴリズムおよび倉庫単位の過去の販売量データに従って決定され、倉庫間補充／割当戦略は売買対象物の異なる倉庫での在庫数量を調整するために用いられること、および、
【０１０２】
倉庫間補充／割当戦略を売買対象物提供者に送信すること、を実行するよう構成される。
【０１０３】
本出願の他の実施形態で、スケジューリング装置は、さらに課金部３８を含む。
【０１０４】
課金部３８は、物流資源がリリースされたときに、異なる物流資源の価格情報を決定し、価格情報を表示するよう構成される。
【０１０５】
本出願のこの実施形態で記載されたスケジューリング装置は、ハードウェアにより実装されてもソフトウェにより実装されてもよいことに留意されたい。この点はここでは特に限定されない。スケジューリング装置は、異なる倉庫資源提供者から倉庫資源を取得し、異なる配送資源提供者から配送資源を取得し、取得した倉庫資源および配送資源を統合または分類して既定の条件を満たす物流資源を得、売買対象物提供者が物流資源をスケジューリングすることを可能にする。社会において比較的散在する倉庫資源および物流資源が比較的一元化された物流資源に統合できるのみならず、これらの物流資源の利用率が改善され、売買対象物の配送効率が効果的に改善され、倉庫資源からの売買対象物の取得と配送資源を用いた売買対象物の配送との間の時間が短縮され、電子商取引プラットフォーム上のユーザのユーザ体験が改善される。
【０１０６】
図４は、本出願の実施形態に従った物流資源スケジューリングシステムの構造模式図である。システムは、フロントエンド売買対象物提示プラットフォーム４１とバックエンド物流サービスプラットフォーム４２とを含む。
【０１０７】
フロントエンド売買対象物提示プラットフォーム４１は、売買対象物提供者により売買対象物情報をリリースするよう構成される。
【０１０８】
バックエンド物流サービスプラットフォーム４２は、異なる倉庫資源提供者からの倉庫資源および異なる配送資源提供者からの配送資源を決定し、ここで倉庫資源は倉庫容量および在庫回転期間を含み、配送資源は配送属性を含み、既定の条件を満たす物流資源を獲得するため既定の資源統合規則に従って倉庫資源および配送資源を統合し、物流資源をリリースして物流資源をスケジューリングするための売買対象物提供者による物流資源の使用要求を可能にする。
【０１０９】
本明細書のこの実施形態では、バックエンド物流サービスプラットフォーム４２は走行資源プラットフォームと配送資源プラットフォームとを含み、上述の実施形態で記載されたものと同一または同様の機能を有する。詳細はここでは繰り返さない。
【０１１０】
本明細書の実施形態は、方法、装置（機器）、またはコンピュータプログラム製品として提供可能であることを当業者は理解するだろう。したがって、本明細書は、ハードウェア実施形態、ソフトウェア実施形態、またはソフトウェアとハードウェアとを組み合わせた実施形態の形態を用いることができる。さらに、本明細書は、コンピュータ利用可能なプログラムコードを含む１以上のコンピュータ利用可能な記憶媒体（ディスクメモリ、ＣＤ−ＲＯＭ、および光学メモリを含むがこれに限らない）に実装されるコンピュータプログラム製品の形態を用いることができる。
【０１１１】
本明細書は、本明細書の実施形態の方法、装置（機器）およびコンピュータプログラム製品のフローチャートおよび／またはブロック図を参照して記載されている。コンピュータプログラム命令は、フローチャートおよび／またはブロック図の各プロセスおよび／またはブロック、および、フローチャートおよび／またはブロック図のプロセスおよび／またはブロックの組み合わせを実装することができることを理解されたい。これらのコンピュータプログラム命令は、汎用コンピュータ、専用コンピュータ、組込プロセッサ、またはシステムを構成する他のプログラム可能なデータ処理装置のプロセッサに提供されてよく、こうしてフローチャートにおける１以上のプロセスおよび／またはブロック図における１以上のブロックで特定される機能を実装するよう構成された装置が、コンピュータまたは他のプログラム可能なデータ処理装置のプロセッサにより実行される命令を用いて生成される。
【０１１２】
これらのコンピュータプログラム命令は、また、コンピュータまたは他のプログラム可能なデータ処理装置が特定の動作を実行するようガイド可能なコンピュータ可読メモリに記憶されてよい。このようにコンピュータ可読メモリに記憶された命令は、命令装置を含む製造品を生成し、命令装置はフローチャートにおける１以上のプロセスおよび／またはブロック図における１以上のブロックで特定される機能を実装する。
【０１１３】
これらのコンピュータプログラム命令は、また、コンピュータまたは他のプログラム可能なデータ処理装置に読み込まれてよい。そして、コンピュータにより実装される処理を生成するための一連の動作ステップがコンピュータまたは他のプログラム可能なデータ処理装置で実行され、コンピュータまたは他のプログラム可能なデータ処理装置で実行される命令は、フローチャートにおける１以上のプロセスおよび／またはブロック図における１以上のブロックで特定される機能を実装するステップを提供する。
【０１１４】
本出願の好ましい実施形態が記載されているが、発明の基本的概念を取得すれば、当業者はこれらの実施形態に他の変更や修正を行うことができる。したがって、添付の請求項は、好ましい実施形態および本出願の範囲に入るすべての変更および修正を含むように説明することを意図している。
【０１１５】
明らかに、当業者は本出願の精神および範囲から離れることなく本出願の様々な修正および変形を行うことができる。このように、本出願の修正および変形が本出願の請求項の範囲およびその同等技術に入るならば、本出願はこれらの修正および変形をも含めんとするものである。
【図１】
2019512820.tif 000003
【図２】
2019512820.tif 000004
【図３】
2019512820.tif 000005
【図４】
2019512820.tif 000006
【国際調査報告】
2019512820.tif 000007
2019512820.tif 000008
2019512820.tif 000009
2019512820.tif 000010